(57)【特許請求の範囲】
【請求項１】
禁煙区域と喫煙区域とを分割すべき室内に設置可能な分煙装置であって、
内部に前記喫煙区域としての喫煙空間を画成し、上面及び底面が開口された箱状に形成され、該喫煙空間の側方を包囲する側壁部と、
内部に清浄空間を画成するように箱状に形成され、吸気口及び排気口が底面に設けられ、該底面が前記側壁部の上面を構成するように側壁部の上方に配置される清浄部と、
前記清浄部内に収容され、清浄空間から吸引した空気を前記排気口から下方の喫煙空間へ送風する送風部と、
前記送風部により清浄空間が降圧されて前記吸気口から上方の清浄空間へ吸引される空気を清浄するフィルタ部と、
前記排気口の下方に位置するように前記側壁部の内壁に設けられ、前記排気口から排出された空気を前記吸気口側へ案内する第１案内部と、
前記吸気口の下方に位置するように前記側壁部の内壁に設けられ、前記第１案内部により案内された空気を前記吸気口へ案内し、前記吸気口からの空気の吸引方向に直交する方向に伸びる平面として形成された直交部と、一端が前記側壁部の内壁に接続され、他端が直交部に接続されるとともに前記一端より下方に位置するように傾斜された平面として形成された傾斜部とを有する第２案内部と
を備える分煙装置。
【請求項２】
前記第１案内部は、前記排気口からの空気の排気方向に直交する方向に伸びる平面として形成され、該平面は、前記直交部より上方に位置することを特徴とする請求項１に記載の分煙装置。
【請求項３】
前記側壁部は、該側壁部の下端から所定距離だけ側方に開口されていることを特徴とする請求項２に記載の分煙装置。
【発明の詳細な説明】
【技術分野】
【０００１】
本発明は、公共、私設の場所や施設等の室内空間を禁煙区域と喫煙区域とに分割する分煙対策のための装置に関するものである。
【背景技術】
【０００２】
近年、公共、私設の場所や施設等において室内空間を禁煙区域と喫煙区域とに分割するための分煙対策が推進されている。
【０００３】
例えば、特許文献１では、内部に喫煙空間を画成すると共に喫煙空間の側方を包囲する側壁と、喫煙空間の上部を画成する天井と、天井または側壁上部に設けられた煙排気口と、を備え、喫煙空間の収容定員は一名となっており、側壁が室内床面から離隔した状態で側壁の一部が室内壁に固定されて装置全体が室内壁に支持されることを特徴とする壁付けパーソナル分煙装置を提案している。
【先行技術文献】
【特許文献】
【０００４】
【特許文献１】特開２０１３−２４５４４０号公報
【発明の概要】
【発明が解決しようとする課題】
【０００５】
しかしながら、上述の壁付けパーソナル分煙装置には、設置場所に予め排気口が設けられている必要があるために、排気口が設けられていない室内空間に設置することができない、という問題がある。
【０００６】
本発明は、上述した問題点を解決するためになされたものであり、排気口が設けられていない室内空間に設置可能な分煙装置を提供することを目的とする。
【課題を解決するための手段】
【０００７】
上記課題を解決するために、本発明の一態様は、禁煙区域と喫煙区域とを分割すべき室内に設置可能な分煙装置であって、内部に前記喫煙区域としての喫煙空間を画成し、上側及び下側の底面が開口された箱状に形成され、該喫煙空間の側方を包囲する側壁部と、内部に清浄空間を画成するように箱状に形成され、吸気口及び排気口が下側底面に設けられ、該下側底面が前記側壁部の上側底面を構成するように側壁部の上方に配置される清浄部と、前記清浄部内に収容され、清浄空間から吸引した空気を前記排気口から下方の喫煙空間へ送風する送風部と、前記送風部により清浄空間が降圧されて前記吸気口から上方の清浄空間へ吸引される空気を清浄するフィルタ部と、前記排気口の下方に位置するように前記側壁部の内壁に設けられ、前記排気口から排出された空気を前記吸気口側へ案内する第１案内部と、前記吸気口の下方に位置するように前記側壁部の内壁に設けられ、前記第１案内部により案内された空気を前記吸気口へ案内する第２案内部とを備える。
【発明の効果】
【０００８】
本発明によれば、排気口が設けられていない室内空間に設置可能な分煙装置を実現できる。本発明のその他の効果については、以下の発明を実施するための形態の項でも説明する。
【図面の簡単な説明】
【０００９】
【図１】実施形態に係る分煙装置の構成を示す正面図である。
【図２】分煙装置の構成を示す縦断面図である。
【図３】側壁部の構成を示す平面図である。
【図４】清浄部の構成を示す横断面図である。
【図５】送風部の構成を示す概略斜視図である。
【図６】フィルタ部の構成を示す概略斜視図である。
【発明を実施するための形態】
【００１０】
以下、本発明の実施形態について図面を参照しつつ説明する。
【００１１】
まず、図１〜図４を参照して、本実施形態に係る分煙装置の構成を説明する。図１は、実施形態に係る分煙装置の構成を示す正面図である。図２は、分煙装置の構成を示す縦断面図である。図３は、側壁部の構成を示す平面図である。図４は、清浄部の構成を示す横断面図である。
【００１２】
図１及び図２に示す分煙装置１は、禁煙区域と喫煙区域とを分割するべき室内において、床面ＦＬに載置することにより設置されて喫煙区域としての喫煙空間を画成する。図１及び図２に示すように喫煙空間の側方を包囲する側壁部１０と、側壁部１０の上方に設けられた清浄部２０とを備える。また、分煙装置１は、全体として下側の底面が開口された直方体箱状に形成され、室内の壁面近傍において室内床面ＦＬに設置される。この際、分煙装置１は、側壁部１０に属する下端部と室内床面ＦＬとの間に滑り止めゴム１０１が挟まれるとともに、清浄部２０に属する上側底面と室内の壁面とがワイヤ２０１により接続され、地震などの揺れによる分煙装置１の転倒が防止される。
【００１３】
図３に示すように、側壁部１０は、左右方向に対向する２つの側壁パネル１１，１２と、これら２つの側壁パネル１１，１２の後方一端を接続する後方の側壁パネル１３とを有し、これら３つの側壁パネルはいずれも距離Ｐの高さに形成され、その横断面がコの字形状を構成する。更に、側壁部１０は、後方の側壁パネルに対向する前方の側壁パネルとしてのドア１４及び遮蔽部１５を有し、側壁パネル１１，１２，１３及びドア１４及び遮蔽部１５によって、上側及び下側の底面が開口された直方体箱状に構成されて、その内部に喫煙空間を画成する。この喫煙空間内には、後方の側壁パネル１３と接するように灰皿１９が設けられる。また、喫煙空間内には後述する第１案内部３１及び第２案内部３２が設けられる。
【００１４】
遮蔽部１５は、その高さが側壁パネル１１〜１３の上端から距離Ｃの高さに形成され、その幅方向端部が２つの側壁パネル１１，１２の前方一端に接続される。ドア１４は、その高さが遮蔽部１５の下端から距離Ｄだけ喫煙空間の前方を覆うように形成される。ここで、距離Ｃと距離Ｄとの合計距離は、距離Ｐより小さく形成され、これによって、側壁部１０は、側壁パネル１１〜１３の下端から距離Ｏの高さだけ側方に開口し、この開口によって喫煙空間は外部と連通する。
【００１５】
また、ドア１１は、蝶番１４ａによって、その幅方向一端が、左右方向に対向する２つの側壁パネルのいずれかの前方一端に接続され、幅方向他端側にドアハンドル１４ｂを有する。これによって、側壁部１０の前方が開放されて喫煙者が喫煙空間内に出入り可能となる。
【００１６】
図４に示すように、清浄部２０は、直方体箱状に構成されて内部に清浄空間を画成し、清浄空間内に送風部２１及びフィルタ部２２を収容する。清浄部２０の下側底面には、排気口２０ａ及び吸気口２０ｂが設けられる。清浄部２０は、その下側底面が側壁部１０の上側底面を構成するように側壁部１０の上方に配置され、清浄部２０の下側底面、側壁部１０、室内床面ＦＬによって喫煙空間が画成される。
【００１７】
喫煙空間は、排気口２０ａ及び吸気口２０ｂによって清浄空間と連通される。送風部２１は、清浄空間の空気を吸引して排気口２０ａから喫煙空間へ下方に送風するものであり、本実施形態においてはクロスフローファンとして構成される。フィルタ部２２は、送風部２１により清浄空間が降圧されることにより吸気口２０ｂを介して喫煙空間から吸引される空気をろ過して清浄し、清浄された空気は排気口２０ａによって下方の清浄空間に排出される。排気口２０ａ及び吸気口２０ｂは、水平方向、具体的には分煙装置１の左右方向に互いに異なる位置に設けられる。
【００１８】
側壁部１０には、排気口２０ａから排出された空気を水平方向における吸気口２０ｂ側へ案内する第１案内部３１と、第１案内部３１により案内された空気を吸気口２０ｂへ案内する第２案内部３２とが設けられる。
【００１９】
第１案内部３１は、排気口２０ａの下方に位置するように側壁部１０の前後方向全域に亘って設けられた板状の部材であり、排気口２０ａの排出方向に直交する方向、即ち水平方向に伸びる平面として形成され、一端が側壁部１０の内壁において第２案内部３２と対向する位置、具体的には側壁パネル１２に接続される。
【００２０】
第２案内部３２は、吸気口２０ｂの下方に位置するように側壁部１０の前後方向全域に亘って設けられ、直交部３２１と傾斜部３２２とを有する。直交部３２１は、吸気口２０ｂの吸引方向に直交する方向、即ち水平方向に伸びる平面として形成される。傾斜部３２２は、一端が側壁部１０の内壁、具体的には側壁パネル１１に接続され、他端が直交部３２１に接続され、水平方向に対して他端が下方に位置するように傾斜する平面として形成される。なお、第２案内部３２は、直交部３２１の位置が遮蔽部１５の下端より上方となるように設けられる。これによって、ドア１４が操作されて側壁部１０の前方が開放された場合に、分煙装置１の外部へ流出する排気口２０ａからの排気が低減される。
【００２１】
第１案内部３１及び第２案内部３２によれば、清浄部２０から排出された空気を再度清浄部２０に吸引するように分煙装置１の上方で空気を循環させ、フィルタ部２２による清浄能力を向上させることができる。なお、第１案内部３１は、第２案内部３２の直交部３２１より上方に位置するように設けられる。これによって、第１案内部３１により案内された空気の多くを吸気口２０ｂへ案内することができるとともに、排気口２０ａより排出された空気のうち、喫煙空間の下方へ向かう空気を低減することができる。また、第２案内部３２の傾斜部３２２によれば、第１案内部３１により案内された空気の流動方向を上向かせてより多くの空気を吸気口２０ｂへ案内することができる。また、側壁部１０の下端の開口によれば、喫煙空間内の空気の流動性が向上し、この流動性の向上は、分煙装置１における空気の循環に寄与し、したがって、フィルタ部２２による清浄能力を向上させることができる。
【００２２】
次に、送風部の構成について説明する。図５は、送風部の構成を示す概略斜視図である。
【００２３】
図５に示すように、送風部２１は、クロスフローファンであり、長尺の直方体箱状に形成され、送風口２１１及び吸入口２１２が設けられたケーシング２１０と、ケーシング２１０に収納され、図示しないモータにより回転駆動されるランナ２１３とを備える。ランナ２１３は、回転駆動されることによって吸入口２１２からケーシング２１０外部の空気を吸入し、吸入した空気を喫煙空間に送風する。送風部２１は、送風口２１１が排気口２０ａに面するように、清浄部２０内においてその下側底面に載置され、この際、吸入口２１２は清浄空間内に向けられるようになっている。これによって、清浄空間の空気が排出されて清浄空間内が降圧される。
【００２４】
次に、フィルタ部の構成について説明する。図６は、フィルタ部の構成を示す概略斜視図である。
【００２５】
図６に示すように、フィルタ部２２は、上側底面が開口された直方体箱状に形成された収容部２３と、収容部２３に収容されたＨＥＰＡ（Ｈｉｇｈ  Ｅｆｆｉｃｉｅｎｃｙ  Ａｉｒ）フィルタ２４とを備える。収容部２３には、その下側底面の中央近傍領域において所定の開口率となるようにパンチング加工された開口部２３ａが形成される。
【００２６】
また、収容部２３の下側底面には、その一辺と平行する可動軸を有する蝶番の羽の一方が固定され、この蝶番の他方の羽は側壁部１０、具体的には側壁１１の内壁に固定される。この構成によれば、収容部２３は、吸気口２０ｂの下方から清浄空間内に出し入れ可能となり、したがって、ＨＥＰＡフィルタ２４が交換可能となる。なお、蝶番が固定された側の収容部２３の壁部に対向する壁部２３ｂは、他の３つの壁部と比較してその高さが低く形成されており、これによって、ＨＥＰＡフィルタ２４の交換が容易となる。
【００２７】
更に、収容部２３は、その下側底面が、蝶番が固定された側の辺に対向する辺から所定距離だけ外面に延展する取付け部２３１を有し、この取付け部２３１には取付ネジ２６を取り付けるための孔２３１ａが設けられる。この取付け部２３１によれば、収容部２３が清浄空間に挿入されて取付け部２３１が清浄部２０の下側底面に接した状態で取付ネジ２６によるネジ止めがなされ、収容部２３が固定される。
【００２８】
本発明は、その要旨または主要な特徴から逸脱することなく、他の様々な形で実施することができる。そのため、前述の実施形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【符号の説明】
【００２９】
１  分煙装置
１０  側壁部
２０  清浄部
２０ａ  排気口
２０ｂ  吸気口
２１  送風部
２２  フィルタ部
３１  第１案内部
３２  第２案内部
【図１】
0006556032.tif 000002
【図２】
0006556032.tif 000003
【図３】
0006556032.tif 000004
【図４】
0006556032.tif 000005
【図５】
0006556032.tif 000006
【図６】
0006556032.tif 000007